(57)【要約】      （修正有）【課題】縁眼鏡フレームの組立分解可能な構造と、眼鏡用枠と、眼鏡を提供する。【解決手段】閉鎖構造を形成することで眼鏡レンズを保持する左右の上支アーム１及び下支アーム２と、左右の上支アーム１の内端を接続する接続部及び左右の下支アーム２の内端を接続する接続部のいずれか一方に形成された下突出部１１と、いずれか他方に形成され下突出部１１と着脱可能に接続される上突出部２１と、上支アーム１の外端及び下支アーム２の外端を着脱可能に接続する接続手段とを有する。【選択図】図１
0003198469.tif 000002
【実用新案登録請求の範囲】
【請求項１】
閉鎖構造を形成することで眼鏡レンズを保持する左右の上支アーム（１）及び下支アーム（２）と、
左右の上支アーム（１）の内端を接続する接続部及び左右の下支アーム２の内端を接続する接続部のいずれか一方に形成された下突出部（１１）と、
いずれか他方に形成され下突出部（１１）と着脱可能に接続される上突出部（２１）と、
上支アーム（１）の外端及び下支アーム（２）の外端を着脱可能に接続する接続手段と、
を有することを特徴とする縁眼鏡フレームの組立分解可能構造。
【請求項２】
前記接続手段は、前記上支アーム（１）の外端に形成された上下に貫通する挿入ホール（１３）と、下支アーム（２）の外端に形成され挿入ホール（１３）に挿入されるとともに、頂部が前記挿入ホール（１３）の上端から突出する突出部（２３）と、上支アームの外端部に回転可能に設けられ、前記突出部の前記頂部と係合する回転体（３）とを有し、
前記回転体（３）を回転させて前記下支アーム（２）の突出部（２３）の頂部と係脱させることで縁眼鏡フレームの組立分解を可能にすること、
を特徴とする請求項１に記載の縁眼鏡フレームの組立分解可能な構造。
【請求項３】
前記下突出部（１１）と、前記上突出部（２１）とは、ほぞ穴（１２）とほぞ（２２）とによってほぞ継ぎされ、ほぞ穴（１２）は入口部分が狭く形成され、ほぞ（２２）は頭部が大きく形成されて、前記ほぞがほぞ穴を弾性変形させながら挿入されることを特徴とする請求項１又は２に記載の縁眼鏡フレームの組立分解可能な構造。
【請求項４】
前記回転体（３）にはクランプピン（３１）が形成され、前記下支アームの突出部（２３）にははめ込みホール（２４）が形成され、前記突出部（２３）を挿入ホール（１３）に挿入したときに、前記はめ込みホール（２４）を前記挿入ホール（１３）の上端から突出させ、前記回転体（３）の回転によってクランプピン（３１）を前記突出部のはめ込みホールに係脱可能に係合させることを特徴とする請求項２に記載の縁眼鏡フレームの組立分解可能な構造。
【請求項５】
前記上支アーム（１）の外端裏面に収容溝（１４）が形成され、前記挿入ホール（１３）の上端が前記収容溝（１４）に連通し、前記回転体（３）は収容溝（１４）内で回転可能に設けられていることを特徴とする請求項２に記載の縁眼鏡フレームの組立分解可能な構造。
【請求項６】
前記回転体（３）の一端が収容溝（１４）の外端部に回転可能に設けられ、前記回転体（３）の他端に凹部（３２）が形成されて前記回転体の他端を二つの支部に分割され、一方の支部（３３）を挿入ホール（１３）の上端から突出する前記下支アームの突出部（２３）と係合させ、他方の支部（３４）は回転ハンドルを形成することを特徴とする請求項５に記載の縁眼鏡フレームの組立分解可能な構造。
【請求項７】
眼鏡テンプルと、請求項１〜７のいずれかに記載の前記縁眼鏡フレームの組立分解可能な構造とを有し、前記上支アーム（１）の外端に前記眼鏡テンプルが接続されることを特徴とする眼鏡用枠。
【請求項８】
二つの眼鏡レンズと、請求項７に記載の前記眼鏡用枠とを有し、二つの眼鏡レンズが左右の上支アーム及び下支アームとで形成される枠内に保持されることを特徴とする眼鏡。
【考案の詳細な説明】
【技術分野】
【０００１】
本考案は眼鏡に関し、とくに縁眼鏡フレームの組立分解可能な構造、眼鏡用枠及び眼鏡に関する。
【背景技術】
【０００２】
眼鏡は人々の生活によく使うもので、市販の眼鏡を縁眼鏡と、半縁なし眼鏡と、縁なし眼鏡とに分けることができる。その中では、縁眼鏡の眼鏡フレームの左右両側には別々に上支アームと、下支アームとがあり、上支アームの内端及び外端を下支アームの内端及び外端に対応して固定接続し、一つの閉鎖構造を形成させ、この閉鎖構造を眼鏡レンズの取り付けることに使う。だが、縁眼鏡フレームの上支アームをその下支アームと固定して接続するので、使用者が服装や場合によって、違った眼鏡を用意するとき、眼鏡フレームあるいは眼鏡レンズを自分で取り換えることが不便である。または、使用者が上支アームあるいは下支アームを取り換えるつもりがあるとき、常に眼鏡フレーム全体を取り換えることしかできない。
従来技術の中には、特許文献１〜３に示すように嵌め付けや係合により眼鏡フレームと眼鏡レンズとを取り付けるものがあるが、眼鏡レンズを着脱する際に大きい力がかかるうえに、ある程度の熟練も必要となり、着脱が不便で、眼鏡やレンズに傷を付けやすいという問題がある。
【先行技術文献】
【特許文献】
【０００３】
【特許文献１】特開２００１−２１５４４９号公報
【特許文献２】特開２００４−２５２２９３号公報
【特許文献３】特開２００３−４３４２３号公報
【考案の開示】
【考案が解決しようとする課題】
【０００４】
本考案は、従来技術の課題を解決し、縁眼鏡フレームの組立分解可能な構造、眼鏡用枠及び眼鏡を提供する。
【課題を解決するための手段】
【０００５】
上記課題を解決するために請求項１に記載の考案は、閉鎖構造を形成することで眼鏡レンズを保持する左右の上支アーム（１）及び下支アーム（２）と、左右の上支アーム（１）の内端を接続する接続部及び左右の下支アーム２の内端を接続する接続部のいずれか一方に形成された下突出部（１１）と、いずれか他方に形成され下突出部（１１）と着脱可能に接続される上突出部（２１）と、上支アーム（１）の外端及び下支アーム（２）の外端を着脱可能に接続する接続手段とを有する構成としてある。
【０００６】
請求項２に記載の考案は、前記接続手段は、前記上支アーム（１）の外端に形成された上下に貫通する挿入ホール（１３）と、下支アーム（２）の外端に形成され挿入ホール（１３）に挿入されるとともに、頂部が前記挿入ホール（１３）の上端から突出する突出部（２３）と、上支アームの外端部に回転可能に設けられ、前記突出部の前記頂部と係合する回転体（３）とを有し、前記回転体（３）を回転させて前記下支アーム（２）の突出部（２３）の頂部と係脱させることで縁眼鏡フレームの組立分解を可能にする構成としてある。
【０００７】
請求項３に記載の考案は、前記下突出部（１１）と、前記上突出部（２１）とは、ほぞ穴（１２）とほぞ（２２）とによってほぞ継ぎされ、ほぞ穴（１２）は入口部分が狭く形成され、ほぞ（２２）は頭部が大きく形成されて、前記ほぞがほぞ穴を弾性変形させながら挿入される構成としてある。
請求項４に記載の考案は、前記回転体（３）にはクランプピン（３１）が形成され、前記下支アームの突出部（２３）にははめ込みホール（２４）が形成され、前記突出部（２３）を挿入ホール（１３）に挿入したときに、前記はめ込みホール（２４）を前記挿入ホール（１３）の上端から突出させ、前記回転体（３）の回転によってクランプピン（３１）を前記突出部のはめ込みホールに係脱可能に係合させる構成としてある。
【０００８】
請求項５に記載の考案は、前記上支アーム（１）の外端裏面に収容溝（１４）が形成され、前記挿入ホール（１３）の上端が前記収容溝（１４）に連通し、前記回転体（３）は収容溝（１４）内で回転可能に設けられている構成としてある。
【０００９】
請求項６に記載の考案は、前記回転体（３）の一端が収容溝（１４）の外端部に回転可能に設けられ、前記回転体（３）の他端に凹部（３２）が形成されて前記回転体の他端を二つの支部に分割され、一方の支部（３３）を挿入ホール（１３）の上端から突出する前記下支アームの突出部（２３）と係合させ、他方の支部（３４）は回転ハンドルを形成する構成としてある。
【００１０】
本考案の縁眼鏡フレームは組立分解が容易で、使用者が自分で迅速に眼鏡フレームや眼鏡レンズを取り換えることができる。また、上支アーム又は下支アームのみの交換が可能で、眼鏡フレーム全体を取り換える必要がなくなる。
【考案を実施するための最良の形態】
【００１１】
以下に本考案の好ましい実施形態をさらに詳しく説明するが、本考案の縁眼鏡フレームの組立分解可能な構造と、眼鏡用枠と、眼鏡は実施形態に限定されるものではない。
【００１２】
図１〜図３に、本考案の縁眼鏡フレームの組立分解可能な構造の一実施形態を示し、前記眼鏡フレームには二つの上支アーム1と、二つの下支アーム2とがあり、二つの上支アーム1の内端をお互いに接続し（一体接続、粘接などの方式）、そして、接続部には一つの下突出部11が設置され、二つの下支アーム2の内端をお互いに接続し（一体接続、粘接などの方式）、そして、接続部には一つの上突出部21が設置される。下突出部11を上突出部21と組立分解できるように接続し、二つの上支アーム1の外端を別々に二つの下支アーム2の外端と組立分解できるように接続することによって、二つの上支アーム1と、対応の下支アーム２とは眼鏡レンズをクランプすることに使う閉鎖構造を形成させ、あるいはお互いに離れる。
【００１３】
好ましい実施例には、二つの上支アーム1の外端には別々に一つの上下中空の挿入ホール13が設置され、二つの下支アーム2の外端には別々に一つの突出部23が設置され、前記突出部23を対応の挿入ホール13に挿入する。前記二つの上支アーム1の外端部には別々に一つの回転体3が回転できるように設置され、前記回転体3を回転し、挿入ホール13頂端からむき出しした前記下支アーム2の突出部23の一部分とクランプし、或いはそれから外し、前記突出部23を挿入ホール13に定位させ、または挿入ホール13から外させる。
【００１４】
好ましい実施例には、前記下突出部11と、前記上突出部21との間では、ほぞ穴12と、ほぞ22とを使ってお互いにほぞ継ぎし、且つほぞ穴12の裏部は広く、外部は狭く、ほぞ22の外部は広く、裏部は狭い。具体的には、前記下突出部11にはほぞ穴12が設置され、前記上突出部21にはほぞ22が設置され、前記ほぞ穴12は左右中空の構造で、鳩尾型のほぞ穴を用いてもよいが、鳩尾型のほぞ穴と類似する形態を用いてもよく、ついでに、ほぞ22は鳩尾型のほぞを用いてもよいが、鳩尾型のほぞと類似する形態を用いてもよい。
【００１５】
好ましい実施例には、前記回転体3の一側には一つのクランプピン31が設置され、前記下支アーム2の突出部23には一つのはめ込みホール24が設置され、そして、前記突出部23を挿入ホール13に挿入するとき、前記はめ込みホール24を前記挿入ホール13の頂端からむき出しにし、前記回転体3を回転し、そのクランプピン31を前記突出部23のはめ込みホール24にクランプし、あるいはそれから外す。
【００１６】
好ましい実施例には、前記二つの上支アーム1の外端部の裏側面には別々に一つの収容溝14が設置され、前記挿入ホール13の頂端は前記収容溝14とつながる。前記回転体3の一端は収容溝14内に回転できるように設置される。具体的には、回転体3はバルブ構造で、その一端には上下中空のホール35が設置され、前記ホール35を一つの第一ピン軸4に掛けて、そして、前記ピン軸4を収容溝14の上溝壁と、下溝壁との間に挿入し、回転体3が前記第一ピン軸4を中心に回転できるように設置される。前記回転体3のもう一端には凹部32が設置され、前記回転体3のもう一端部を二つの支部33、34に分けさせ、その一つの支部33には前記クランプピン31が設置され、挿入ホール13頂端からむき出しした前記下支アーム2の突出部23の一部分とクランプし、或いはそれから外すことに使う。クランプピン31を前記突出部23のはめ込みホール24にクランプするとき、もう一つの支部34は収容溝14外に位置し、回転ハンドルを形成する。
【００１７】
本考案の縁眼鏡フレームの組立分解可能な構造では、取り付ける時、まず上突出部21のほぞ22を下突出部11のほぞ穴12の右側あるいは左側から入れて、ほぞ22をほぞ穴12とほぞ継ぎする。ついでに、前記突出部23のはめ込みホール24を挿入ホール13の頂端外からむき出しにすることまで、下支アーム2外端の突出部23を上支アーム1の挿入ホール13の底部から挿入ホール13に挿入し続き、つまり、収容溝１４内に位置する。そして、回転体3のクランプピン31を下支アーム2のはめ込みホール24とクランプすることまで、収容溝14の裏の方を沿って、回転体3を回転し続き、下支アーム2の突出部23を上支アーム1の挿入ホール13に定位させ、そして、二つの上支アーム1と、対応の下支アーム2とは一つの閉鎖構造を形成させる。取り外す時、まず回転体3のもう一つの支部34を引っ張って、回転体3のクランプピン31を下支アーム2のはめ込みホール24から外すことまで、回転体3を逆方向へ回転し続く。そして、下支アーム2を引っ張って、その突出部23を上支アーム1の挿入ホール13から外してから、上支アーム1と、下支アーム2との形成した閉鎖構造が開かれる。最後に、下支アーム2のほぞ22を上支アーム1のほぞ穴12の右側あるいは左側から引っ張り出す。眼鏡フレームがプラスチック製であるので、その下支アーム2はある程度の弾性があり、下支アーム2の突出部23を上支アーム1の挿入ホール13に挿入し、あるいはそれから退出し、下支アーム2が変形しないままで保持できる。
【００１８】
図１ないし図３に示すように、本考案の眼鏡用枠には、二つのテンプル5と、前記縁眼鏡フレームの組立分解可能な構造とを有し、テンプル5を前記上支アーム1の外端に接続する。
図３に示すように、本考案の眼鏡には、二つの眼鏡レンズ６と、前記眼鏡用枠とがあり、二つの眼鏡レンズ６を別々に前記上支アーム1と、下支アーム2との形成した閉鎖構造に取り付ける。
【００１９】
以上のように、本考案のデザイン及びアイディアはこれに限定されるものではなく、当業者が，本考案のアイディアと範囲に基づいて色々変形させることは可能であり，それらは本考案の請求項の保護範囲から排除するものではない。
【図面の簡単な説明】
【００２０】
【図１】本考案の分解図を示す。
【図２】本考案の回転体の説明図を示す。
【図３】本考案の組立説明図を示す。
【符号の説明】
【００２１】
１        上支アーム
１１      下突出部
１２      ほぞ穴
１３      挿入ホール
２        下支アーム
２１      上突出部
２２      ほぞ
２３      突出部
２４      はめ込みホール
３        回転体
３１      クランプピン
３２      凹部
３３，３４      支部
【図１】
0003198469.tif 000003
【図２】
0003198469.tif 000004
【図３】
0003198469.tif 000005